(57)【特許請求の範囲】
【請求項１】
インターネットプロトコルに従った特定サービスに対応した第１無線アクセスネットワークと、前記インターネットプロトコルに従った特定サービスに対応していない第２無線アクセスネットワークとの何れかを経由して、インターネットプロトコルに従ったIPアクセスネットワークに接続可能な移動局と、
前記インターネットプロトコルに従った特定サービスと通信可能な交換機と
を備える通信システムであって、
前記交換機は、前記第２無線アクセスネットワーク経由で前記IPアクセスネットワークへの再接続要求を前記移動局から受信した場合、前記インターネットプロトコルに従った特定サービスに利用するAPNに接続できないことを示す接続拒否通知を前記移動局に送信する接続拒否通知部を備え、
前記移動局は、前記第１無線アクセスネットワークから前記第２無線アクセスネットワークへの遷移後において、前記交換機から前記接続拒否通知を受信した場合、前記接続拒否通知を受信した前記第２無線アクセスネットワークに在圏しているときに限り、前記IPアクセスネットワークの再接続要求の送信を中止する再接続中止部を備える通信システム。
【請求項２】
前記インターネットプロトコルに従った特定サービスは、IPマルチメディアサブシステムである請求項１に記載の通信システム。
【請求項３】
前記再接続中止部は、
前記交換機から前記接続拒否通知を受信するNASレイヤと、
前記NASレイヤから受信した前記接続拒否通知に基づいて、前記IPマルチメディアサブシステムをDeregistered状態に設定する上位レイヤと
を含む請求項２に記載の通信システム。
【請求項４】
前記再接続中止部は、前記移動局が前記第２無線アクセスネットワークに在圏している間、前記IPアクセスネットワークの再接続要求の送信を中止する請求項１に記載の通信システム。
【請求項５】
インターネットプロトコルに従った特定サービスに対応した第１無線アクセスネットワークと、前記インターネットプロトコルに従った特定サービスに対応していない第２無線アクセスネットワークとの何れかを経由して、インターネットプロトコルに従ったIPアクセスネットワークに接続可能な移動局であって、
前記第１無線アクセスネットワークから前記第２無線アクセスネットワークへの遷移後において、前記インターネットプロトコルに従った特定サービスと通信可能な交換機から前記インターネットプロトコルに従った特定サービスに利用するAPN に接続できないことを示す接続拒否通知を受信した場合、前記接続拒否通知を受信した前記第２無線アクセスネットワークに在圏しているときに限り、前記IPアクセスネットワークの再接続要求の送信を中止する再接続中止部を備える移動局。
【請求項６】
前記インターネットプロトコルに従った特定サービスは、IPマルチメディアサブシステムである請求項５に記載の移動局。
【請求項７】
前記再接続中止部は、
前記交換機から前記接続拒否通知を受信するNASレイヤと、
前記NASレイヤから受信した前記接続拒否通知に基づいて、前記IPマルチメディアサブシステムをDeregistered状態に設定する上位レイヤと
を含む請求項６に記載の移動局。
【請求項８】
前記再接続中止部は、前記移動局が前記第２無線アクセスネットワークに在圏している間、前記IPアクセスネットワークの再接続要求の送信を中止する請求項５に記載の移動局。
【請求項９】
インターネットプロトコルに従った特定サービスに対応した第１無線アクセスネットワークと、前記インターネットプロトコルに従った特定サービスに対応していない第２無線アクセスネットワークとの何れかを経由して、インターネットプロトコルに従ったIPアクセスネットワークに接続可能な移動局と、
前記インターネットプロトコルに従った特定サービスと通信可能な交換機と
によって実行される通信方法であって、
前記交換機が、前記第２無線アクセスネットワーク経由で前記IPアクセスネットワークへの再接続要求を前記移動局から受信した場合、前記インターネットプロトコルに従った特定サービスに利用するAPN に接続できないことを示す接続拒否通知を前記移動局に送信するステップと、
前記移動局が、前記第１無線アクセスネットワークから前記第２無線アクセスネットワークへの遷移後において、前記交換機から前記接続拒否通知を受信した場合、前記IPアクセスネットワークの再接続要求の送信を中止するステップと
を有する通信方法。
【請求項１０】
前記インターネットプロトコルに従った特定サービスは、IPマルチメディアサブシステムである請求項９に記載の通信方法。
【発明の詳細な説明】
【技術分野】
【０００１】
本発明は、インターネットプロトコルに従ったアクセスネットワークに接続可能な通信システム、移動局及び通信方法に関する。
【背景技術】
【０００２】
Long Term Evolution（LTE）では、移動局（UE）が、Session Initiation Protocol（SIP）及び音声メディアのトランスポート機能を提供するIPアクセスネットワークであるIP-Connectivity Access Network（IP-CAN）上に、SIP及び音声メディア用の論理的な通信路であるIP-CAN Bearer（SIP bearer）を確立し、LTEでの音声通話（VoLTE）を実現する仕組みが規定されている（例えば、非特許文献１参照）。
【０００３】
また、IP-CAN Bearerが何らかの原因（例えば、移動局のUTRAN/GERANへのハンドオーバやネットワーク側のオーバーロード状態など）で解放された場合、移動局は、IP-CANへの再接続手順を実行することが規定されている（例えば、非特許文献２）。
【０００４】
図１は、移動局がE-UTRAN（LTE）経由でIP-CAN Bearerを確立した後、他の無線アクセスネットワークであるUTRAN/GERANへのハンドオーバ（遷移）によってIP-CAN Bearerが解放された場合における通信シーケンスを示す。図１に示すように、移動局がUTRAN/GERANへのハンドオーバを実行する（S10）と、IP-CAN Bearerが解放（removal）される（S20）。また、移動局は、当該ハンドオーバの実行後、IP-CANへの再接続手順を実行する（S30）。
【先行技術文献】
【非特許文献】
【０００５】
【非特許文献１】3GPP TS 24.229 V11.2.1, 3rd Generation Partnership Project; Technical Specification Group Core Network and Terminals; IP multimedia call control protocol based on Session Initiation Protocol (SIP) and Session Description Protocol (SDP); Stage 3 (Release 11)、2012年１月
【非特許文献２】3GPP TS 23.228 V11.3.0, 3rd Generation Partnership Project; Technical Specification Group Services and System Aspects;IP Multimedia Subsystem (IMS); Stage 2(Release 11)、2011年12月
【発明の概要】
【発明が解決しようとする課題】
【０００６】
しかしながら、上述した従来の移動局によるIP-CANへの再接続手順には、次のような問題があった。例えば、移動局がE-UTRAN（LTE）からUTRAN/GERANにハンドオーバすることによってIP-CAN Bearerが一旦解放された場合、上述したように、移動局は、IP-CANへの再接続手順を実行するが、UTRAN/GERANは、SIP及び音声メディアのトランスポートに必要な帯域を提供する能力を具備していなかったり、Policy and Charging Rules Function（PCRF）やPrimary-Call Session Control Function（P-CSCF）などによって構成されるIP Multimedia core network Subsystem（IMS）を介したサービス（例えば、SIPを利用した音声通話）に対応していなかったりする場合がある。
【０００７】
このような場合でも、移動局は、IP-CANへの再接続手順を必ず実行するため、当該再接続手順が繰り返されることによって、IP-CANの処理負荷が無駄に増大する可能性がある。
【０００８】
そこで、本発明は、このような状況に鑑みてなされたものであり、IP Multimedia core network Subsystem（IMS）によるサービスに対応していない無線アクセスネットワークを介して移動局がIP-CANへの再接続を試みることに伴うIP-CANの処理負荷の増大を抑制し得る通信システム、移動局及び通信方法の提供を目的とする。
【課題を解決するための手段】
【０００９】
本発明の第１の特徴は、インターネットプロトコルに従ったIPマルチメディアサブシステムによるサービスに対応した第１無線アクセスネットワークと、前記IPマルチメディアサブシステムによるサービスに対応していない第２無線アクセスネットワークとの何れかを経由して、インターネットプロトコルに従ったIPアクセスネットワークに接続可能な移動局と、前記IPマルチメディアサブシステムと通信可能な交換機とを備える通信システムであって、前記交換機は、前記第２無線アクセスネットワーク経由で前記IPアクセスネットワークへの再接続要求を前記移動局から受信した場合、前記IPマルチメディアサブシステムに接続できないことを示す接続拒否通知を前記移動局に送信する接続拒否通知部を備え、前記移動局は、前記第１無線アクセスネットワークから前記第２無線アクセスネットワークへの遷移後において、前記交換機から前記接続拒否通知を受信した場合、前記接続拒否通知を受信した前記第２無線アクセスネットワークに在圏しているときに限り、前記IPアクセスネットワークの再接続要求の送信を中止する再接続中止部を備えることを要旨とする。
【００１０】
本発明の第２の特徴は、インターネットプロトコルに従ったIPマルチメディアサブシステムによるサービスに対応した第１無線アクセスネットワークと、前記IPマルチメディアサブシステムによるサービスに対応していない第２無線アクセスネットワークとの何れかを経由して、インターネットプロトコルに従ったIPアクセスネットワークに接続可能な移動局であって、前記第１無線アクセスネットワークから前記第２無線アクセスネットワークへの遷移後において、前記IPマルチメディアサブシステムと通信可能な交換機から前記IPマルチメディアサブシステムに接続できないことを示す接続拒否通知を受信した場合、前記接続拒否通知を受信した前記第２無線アクセスネットワークに在圏しているときに限り、前記IPアクセスネットワークの再接続要求の送信を中止する再接続中止部を備えることを要旨とする。
【００１１】
本発明の第３の特徴は、インターネットプロトコルに従ったIPマルチメディアサブシステムによるサービスに対応した第１無線アクセスネットワークと、前記IPマルチメディアサブシステムによるサービスに対応していない第２無線アクセスネットワークとの何れかを経由して、インターネットプロトコルに従ったIPアクセスネットワークに接続可能な移動局と、前記IPマルチメディアサブシステムと通信可能な交換機とによって実行される通信方法であって、前記交換機が、前記第２無線アクセスネットワーク経由で前記IPアクセスネットワークへの再接続要求を前記移動局から受信した場合、前記IPマルチメディアサブシステムに接続できないことを示す接続拒否通知を前記移動局に送信するステップと、前記移動局が、前記第１無線アクセスネットワークから前記第２無線アクセスネットワークへの遷移後において、前記交換機から前記接続拒否通知を受信した場合、前記IPアクセスネットワークの再接続要求の送信を中止するステップとを有することを要旨とする。
【発明の効果】
【００１２】
本発明の特徴によれば、IP Multimedia core network Subsystem（IMS）によるサービスに対応していない無線アクセスネットワークを介して移動局がIP-CANへの再接続を試みることに伴うIP-CANの処理負荷の増大を抑制し得る通信システム、移動局及び通信方法を提供できる。
【図面の簡単な説明】
【００１３】
【図１】従来の移動通信システムにおいてIP-CAN Bearerが解放された場合における通信シーケンスを示す図である。
【図２】本発明の実施形態に係る移動通信システムの全体概略構成図である。
【図３】本発明の実施形態に係る交換機の機能ブロック構成図である。
【図４】本発明の実施形態に係る移動局の機能ブロック構成図である。
【図５】本発明の実施形態に係る通信システムの動作フローである。
【発明を実施するための形態】
【００１４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１５】
したがって、具体的な寸法などは以下の説明を参酌して判断すべきものである。また、図面相互間においても互いの寸法の関係や比率が異なる部分が含まれていることは勿論である。
【００１６】
（１）移動通信システムの全体概略構成
図２は、本実施形態に係る移動通信システム10の全体概略構成図である。図２に示すように、移動通信システム10は、移動局100（以下、UE100）、IP-Connectivity Access Network 200（以下、IP-CAN200）及びIP Multimedia core network Subsystem 300（以下、IMS300）によって構成される。
【００１７】
本実施形態では、UE100は、Long Term Evolution（LTE）及び3G（W-CDMA）方式の従った無線通信を実行することができる。UE100は、LTEまたは3G方式に従って、IP-CAN200に接続可能である。また、UE100は、IP-CAN200を経由して、IMS300へのUE100のRegistrationを実行する。例えば、UE100は、3GPP TS24.229の第5.1.1.1節やL3.1.2節において規定されているRegistration手順に従ってIMS300へのUE100の登録を実行することができる。
【００１８】
LTE（E-UTRAN）は、IMS300によるサービスに対応した無線アクセスネットワークであり、本実施形態において第１無線アクセスネットワークを構成する。また、3G（UTRAN）は、IPマルチメディアサブシステムによるサービスに対応していない無線アクセスネットワークであり、本実施形態において第２無線アクセスネットワークを構成する。UE100は、LTEと3Gとの何れかを経由して、IP-CAN200に接続可能である。なお、3GをIPマルチメディアサブシステムによるサービスに対応した無線アクセスネットワークとし、LTEをIPマルチメディアサブシステムによるサービスに対応していない無線アクセスネットワークとしてもよい。
【００１９】
IP-CAN200は、インターネットプロトコル（IP）に従ったIPアクセスネットワークである。具体的には、IP-CAN200は、Session Initiation Protocol（SIP）及び音声メディアのトランスポート機能を提供するネットワークであり、本実施形態では、LTE/Evolved Packet Core（EPC）ネットワークに相当する。
【００２０】
IP-CAN200は、Mobility Management Entity（MME）、Serving Gateway（SGW）、Packet Data Network Gateway（PGW）、Policy and Charging Rules Function（PCRF）及びSGSN（Serving GPRS Support Node） 210（交換機）を含む。なお、本実施形態では、UE100とSGSN 210とによって通信システムを構成する。
【００２１】
MMEは、eNodeB（無線基地局）を収容し、モビリティ制御やベアラ制御機能などを提供する交換機である。SGWは、3GPP（LTE）のアクセスシステムを収容する在圏パケット交換機である。PGWは、IMS基盤との接続点であり、IPアドレスの割当てやSGWへのパケット転送などを行うパケット交換機である。また、PGWは、PCRFと連携し、QoS制御やベアラ設定制御などを実行する。PCRFは、ユーザデータ転送のQoS及び課金のための制御を実行する論理ノードである。SGSNは、UTRAN（3G）アクセスシステムを収容するパケット交換機である。
【００２２】
IMS300は、インターネットプロトコルに従ったマルチメディアサブシステムであり、Primary-Call Session Control Function（P-CSCF）、Interrogating -Call Session Control Function（I-CSCF）、Serving-Call Session Control Function（S-CSCF）及びApplication Server（AS）を含む。
【００２３】
P-CSCFは、EPCとの接続点に配置されるSIP中継サーバであり、SIPの転送だけでなく、EPC（PCRF）と連携し、QoS制御を起動したり、IP-CAN Bearerの状態を認識したりする機能を有する。また、IMS300には、他網（固定電話網など）が接続される。
【００２４】
（２）通信システムの機能ブロック構成
次に、本実施形態において通信システムを構成するUE100及びSGSN 210の機能ブロック構成について説明する。
【００２５】
（２．１）SGSN 210
図３は、SGSN 210の機能ブロック構成図である。SGSN 210は、IMS300と通信可能な交換機であり、図３に示すように、SGSN 210は、接続可否判定部211及び接続拒否通知部213を備える。
【００２６】
接続可否判定部211は、UE100から受信したIP-CAN200への再接続要求、具体的には、Activate PDP Context Request（接続先：IMS APN）を受信した場合、UE100がIP-CAN200への再接続が可能か否かを判定する。接続可否判定部211は、3G（UTRAN）経由でIP-CAN200への再接続要求をUE100から受信した場合、3GがIMS300を介したサービス（例えば、SIPを利用した音声通話）に対応していないため、UE100のIP-CAN200への再接続を否定する。一方、接続可否判定部211は、LTE（E-UTRAN）経由でIP-CAN200への再接続要求をUE100から受信した場合、LTEがIMS300を介した当該サービスに対応しているため、UE100のIP-CAN200への再接続を肯定する。
【００２７】
接続拒否通知部213は、接続可否判定部211による再接続の可否判定結果に基づいて、IMS300に接続できないことを示す接続拒否通知、具体的には、Activate PDP Context RejectをUE100に送信する。
【００２８】
より具体的には、接続拒否通知部213は、3G経由でIP-CAN200への再接続要求をUE100から受信した場合、Activate PDP Context RejectをUE100に送信する。接続拒否通知部213は、所定のCause Value（例えば、SM Cause #32（Service Option not supported））を含むActivate PDP Context RejectをUE100に送信する。なお、Cause Valueについては、#32以外にも、例えば、＃27（Missing/Unknown APN）や#31などを用いてもよい。
【００２９】
（２．２）UE100 
図４は、UE100の機能ブロック構成図である。図４に示すように、UE100は、再接続実行部110及び再接続中止部120を備える。
【００３０】
再接続実行部110は、IP-CAN200への再接続を実行する。具体的には、再接続実行部110は、UE100と、IP-CAN200を構成するPGWとの間において確立された論理的な通信経路であるIP-CAN Bearerが何らかの原因で解放された場合、Activate PDP Context Request（接続先：IMS APN）をSGSN 210に送信し、IP-CAN200の再接続を実行する。
【００３１】
特に、本実施形態では、再接続実行部110は、UE100がLTEから3Gに遷移した後、3Gに在圏している場合においてもIP-CAN200の再接続を試みる。なお、遷移には、LTEから3Gへのハンドオーバやリダイレクションが含まれる。
【００３２】
再接続中止部120は、再接続実行部110によるIP-CAN200の再接続要求の送信を中止する。具体的には、再接続中止部120は、LTEから3Gへの遷移後において、SGSN 210から接続拒否通知（Activate PDP Context Reject）を受信した場合、IP-CAN200の再接続要求の送信を中止する。なお、再接続中止部120は、接続拒否通知を受信した3Gに在圏しているときに限り、IP-CAN200の再接続要求の送信を中止する。
【００３３】
本実施形態では、再接続中止部120は、Non-Access-Stratumレイヤ121（以下、NASレイヤ121）、及びNASレイヤ121の上位に位置する上位レイヤ123によって構成される。
【００３４】
NASレイヤ121は、SGSN 210から接続拒否通知を受信する。上位レイヤ123は、具体的には、IMSアプリケーションであり、NASレイヤ121から受信した接続拒否通知に基づいて、IMS300をDeregistered状態に設定する。つまり、上位レイヤ123がIMS300をDeregistered状態に設定することによって、IMS300をよるサービスの利用が中止される。
【００３５】
また、NASレイヤ121は、UE100が3Gへの接続を継続している間、IP-CAN200の再接続要求の送信を中止してもよい。つまり、NASレイヤ121は、同一の無線アクセスネットワークに接続し続ける限りおいては、SGSN 210によって再接続が拒否されたIP-CANへの再接続を実行しない。
【００３６】
（３）通信システムの動作
図５は、UE100及びSGSN 210によるIP-CAN200への再接続の中止動作フローを示す。
【００３７】
図５に示すように、UE100、具体的にはNASレイヤ121は、IMS用のIP-CAN（IP-CAN200）に再接続要求を送信する（S110）。具体的には、NASレイヤ121は、Activate PDP Context Request（接続先：IMS APN）をSGSN 210に送信する。なお、ここでは、UE100がLTEから3Gに遷移して3Gに在圏していることを前提とする。
【００３８】
Activate PDP Context Requestを受信したSGSN 210は、UE100が3Gに接続しているため、当該IP-CANを経由してIMS300に接続できないと判定する（S120）。そこで、SGSN 210は、IMS300に接続できないことを示す接続拒否通知をUE100に送信する（S130）。具体的には、SGSN 210は、所定のCause Value（Cause #32）を含むActivate PDP Context Reject（Cause #32）をUE100に送信する。
【００３９】
Activate PDP Context Rejectを受信したUE100のNASレイヤ121は、IMS300の利用が不可であることを上位レイヤ123に通知する（S140）。
【００４０】
IMS300の利用が不可であることを通知された上位レイヤ123は、IMS300をDeregistered状態に設定する（S150）。また、NASレイヤ121は、UE100が同一無線アクセスネットワーク（RAT）、具体的には3Gに在圏している間、IP-CAN200への再接続を中止する（S160）。具体的には、NASレイヤ121は、Activate PDP Context Requestの送信を中止する。
【００４１】
（４）作用・効果
上述したUE100及びSGSN 210によれば、LTEから3Gへの遷移後において、SGSN 210から接続拒否通知（Activate PDP Context Reject）を受信した場合、IP-CAN200の再接続要求（Activate PDP Context Request）の送信が中止される。このため、IMS300によるサービスに対応していない無線アクセスネットワーク（3G）を介してUE100がIP-CAN200への再接続を試みることに伴うIP-CAN200の処理負荷の増大を抑制し得る。
【００４２】
また、本実施形態では、UE100が3Gに在圏している間、IP-CAN200の再接続要求の送信を中止できる。このため、UE100がIP-CAN200への再接続を試みることに伴うIP-CAN200の処理負荷の増大をさらに抑制し得る。
【００４３】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００４４】
例えば、上述した実施形態では、UTRAN（3G）をIPマルチメディアサブシステムによるサービスに対応していない無線アクセスネットワークとした例について説明したが、UTRANに代えてGERAN（2G）やE-UTRAN（LTE）でもよいし、その他の無線通信技術を用いた移動通信システムであってもよい。
【００４５】
なお、E-UTRAN（LTE）の場合、上述した実施形態のSGSN 210をMMEに置き換えることも可能である。この場合、UE100がMMEに送信する信号はActive PDP Contextではなく、PDN Connectivity Requestとなる。また、MMEがUE100に応答する信号はPDN Connectivity Rejectとなる。この場合、UE100はLTEに在圏している間、IP-CAN200の再接続要求の送信の送信を中止する。
【００４６】
また、上述した実施形態では、再接続中止部120がNASレイヤ121及び上位レイヤ123によって構成されていたが、このような構成は必ずしも必須ではない。例えば、NASレイヤ121がIMS300をよるサービスの利用が中止するようにしてもよい。さらに、上述した実施形態では、SGSN 210が接続拒否通知を送信したが、他の装置（例えば、SGW）が接続拒否通知をUE100に送信してもよい。
【００４７】
なお、上述した本発明は、次のように表現されてもよい。本発明の第１の特徴は、インターネットプロトコルに従ったIMS300（IPマルチメディアサブシステム）によるサービスに対応した第１無線アクセスネットワークと、前記IPマルチメディアサブシステムによるサービスに対応していない第２無線アクセスネットワークとの何れかを経由して、インターネットプロトコルに従ったIP-CAN200（IPアクセスネットワーク）に接続可能なUE100（移動局）と、前記IPマルチメディアサブシステムと通信可能な交換機とを備える通信システムであって、前記交換機は、前記第２無線アクセスネットワーク経由で前記IPアクセスネットワークへの再接続要求を前記移動局から受信した場合、前記IPマルチメディアサブシステムに接続できないことを示す接続拒否通知を前記移動局に送信する接続拒否通知部213（接続拒否通知部）を備え、前記移動局は、前記第１無線アクセスネットワークから前記第２無線アクセスネットワークへの遷移後において、前記交換機から前記接続拒否通知を受信した場合、前記IPアクセスネットワークの再接続要求の送信を中止する再接続中止部120（再接続中止部）を備えることを要旨とする。
【００４８】
上述した本発明の第１の特徴において、前記再接続中止部は、前記交換機から前記接続拒否通知を受信するNASレイヤ121（NASレイヤ）と、前記NASレイヤから受信した前記接続拒否通知に基づいて、前記IPマルチメディアサブシステムをDeregistered状態に設定する上位レイヤ123（上位レイヤ）とを含んでもよい。
【００４９】
上述した本発明の第１の特徴において、前記再接続中止部は、前記移動局が前記第２無線アクセスネットワークへの接続を継続している間、前記IPアクセスネットワークの再接続要求の送信を中止してもよい。
【００５０】
本発明の第２の特徴は、インターネットプロトコルに従ったIPマルチメディアサブシステムによるサービスに対応した第１無線アクセスネットワークと、前記IPマルチメディアサブシステムによるサービスに対応していない第２無線アクセスネットワークとの何れかを経由して、インターネットプロトコルに従ったIPアクセスネットワークに接続可能なUE100（移動局）であって、前記第１無線アクセスネットワークから前記第２無線アクセスネットワークへの遷移後において、前記IPマルチメディアサブシステムと通信可能な交換機から前記IPマルチメディアサブシステムに接続できないことを示す接続拒否通知を受信した場合、前記接続拒否通知を受信した前記第２無線アクセスネットワークに在圏しているときに限り、前記IPアクセスネットワークの再接続要求の送信を中止する再接続中止部を備えることを要旨とする。
【００５１】
本発明の第３の特徴は、インターネットプロトコルに従ったIPマルチメディアサブシステムによるサービスに対応した第１無線アクセスネットワークと、前記IPマルチメディアサブシステムによるサービスに対応していない第２無線アクセスネットワークとの何れかを経由して、インターネットプロトコルに従ったIPアクセスネットワークに接続可能なUE100（移動局）と、前記IPマルチメディアサブシステムと通信可能なSGSN 210（交換機）とによって実行される通信方法であって、前記交換機が、前記第２無線アクセスネットワーク経由で前記IPアクセスネットワークへの再接続要求を前記移動局から受信した場合、前記IPマルチメディアサブシステムに接続できないことを示す接続拒否通知を前記移動局に送信するステップと、前記移動局が、前記第１無線アクセスネットワークから前記第２無線アクセスネットワークへの遷移後において、前記交換機から前記接続拒否通知を受信した場合、前記IPアクセスネットワークの再接続要求の送信を中止するステップとを有することを要旨とする。
【００５２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００５３】
10…移動通信システム
100…UE
110…再接続実行部
120…再接続中止部
121…NASレイヤ
123…上位レイヤ
200…IP-CAN
210…SGSN
211…接続可否判定部
213…接続拒否通知部
300…IMS
【図１】
0005290447.tif 000002
【図２】
0005290447.tif 000003
【図３】
0005290447.tif 000004
【図４】
0005290447.tif 000005
【図５】
0005290447.tif 000006